(57)【要約】【課題】コンセントに対するプラグの差込み量を連続的に表示することで、トラッキング現象が起こり得る状態を外部から確認できる給電装置を提供する。【解決手段】プラグ２の雄端子２２の挿入量を段階的に表示する表示部１０を備える。表示部１０は、雄端子２２が差込口３２に完全に挿入された第１の位置Ｐ１と、雄端子２２が第１の位置よりも引き出された状態で雌端子３３と非接触となる第２の位置Ｐ２と、の間で、プラグ２の雄端子２２の挿入量を連続的に表示する。これにより、使用者にプラグ２が完全に差し込まれていない微妙な位置関係にある場合は、表示部１０の目視により外部から使用者に認識させることができる。【選択図】図１
2008305637.tif 000002
【特許請求の範囲】
【請求項１】
プラグ本体と、当該プラグ本体から突出する雄端子と、を有するプラグと、
前記プラグの雄端子を受け入れる差込口を有するコンセント本体と、前記差込口内に設けられ該差込口に挿入される雄端子と電気接触する雌端子と、を有するコンセントと、
を備えた給電装置であって、
前記プラグの雄端子が前記差込口に完全に挿入された第１の位置と、前記プラグの雄端子が前記第１の位置よりも引き出された状態で前記雌端子と非接触となる第２の位置と、の間で、前記プラグの雄端子の挿入量を連続的または段階的に表示する表示部を備え、
前記表示部が、前記コンセント本体と前記プラグ本体との間に介在されていることを特徴とする給電装置。
【請求項２】
プラグ本体と、当該プラグ本体から突出する雄端子と、を有するプラグと、
前記プラグの雄端子を受け入れる差込口を有するコンセント本体と、前記差込口内に設けられ該差込口に挿入される雄端子と電気接触する雌端子と、を有するコンセントと、
を備えた給電装置であって、
前記プラグの雄端子が前記差込口に完全に挿入された第１の位置と、前記プラグの雄端子が前記第１の位置よりも引き出された状態で前記雌端子と非接触となる第２の位置と、の間で、前記プラグの雄端子の挿入量を連続的または段階的に表示する表示部を備え、
前記表示部が、前記プラグ本体に設けられていることを特徴とする給電装置。
【請求項３】
プラグ本体と、当該プラグ本体から突出する雄端子と、を有するプラグと、
前記プラグの雄端子を受け入れる差込口を有するコンセント本体と、前記差込口内に設けられ該差込口に挿入される雄端子と電気接触する雌端子と、を有するコンセントと、
を備えた給電装置であって、
前記プラグの雄端子が前記差込口に完全に挿入された第１の位置と、前記プラグの雄端子が前記第１の位置よりも引き出された状態で前記雌端子と非接触となる第２の位置と、の間で、前記プラグの雄端子の挿入量を連続的または段階的に表示する表示部を備え、
前記表示部が、前記コンセント本体に設けられていることを特徴とする給電装置。
【請求項４】
請求項１〜３の何れか１項に記載の給電装置であって、
前記雄端子の根本部分の所定区間に絶縁部材を被覆してあることを特徴とする給電装置。
【請求項５】
請求項１〜４の何れか１項に記載の給電装置であって、
前記表示部は、複数のスリットを有するカバー部と、該カバー部の裏側にスライド自在に配置されて、それのスライド位置に応じた部分が前記スリットから表示されるスライド部と、前記プラグの雄端子の挿入量を前記スライド部のスライド量に連続的に変換するプラグ挿入量変換部と、を備えたことを特徴とする給電装置。
【請求項６】
請求項５に記載の給電装置であって、
前記スライド部にはスライド位置に応じて前記スリットから露出する模様を備え、前記スライド部は、模様の部分が透光素材で形成され、前記模様以外の部分が不透光素材で形成されるとともに、表示部の裏側に光源が配置されることを特徴とする給電装置。
【発明の詳細な説明】
【技術分野】
【０００１】
本発明は、プラグおよびコンセントを備えた給電装置に関する。
【背景技術】
【０００２】
コンセントにプラグを差し込んで配電する給電装置では、プラグが完全に差し込まれていない状態で放置した場合に、プラグの雄端子間に塵埃等が付着してトラッキング現象が起こることが知られている。このため、従来ではトラッキング現象の原因となるプラグとコンセントの不完全な接続状態を検出して、使用者に警告を発するようにした給電装置が提案されている（例えば、特許文献１参照）。
【０００３】
即ち、上記給電装置では、プラグとコンセントの接続状態検出部と、接続状態を知らせる報知部と、接続状態の検出結果により報知部を制御する制御部と、を備えて、不完全な接続状態の時に報知部によって警告するようになっている。
【特許文献１】特開２００６−７３４２６号公報
【発明の開示】
【発明が解決しようとする課題】
【０００４】
しかしながら、かかる従来の給電装置による接続状態は、例えば、プラグが差し込まれる奥側と入口側とに配置した２つのリードスイッチのいずれか一方がオンになることにより検知される。つまり、プラグとコンセントとの接続状態と非接続状態とのいずれかを検知するもので、それらの間の不完全な差し込み状態を検知できるものではない。
【０００５】
このため、コンセントに対してプラグが完全に差し込まれていない微妙な位置関係では通電状態となっており、この状態で塵埃がプラグとコンセントとの隙間から入り込むと、プラグの雄端子にトラッキング現象を起こしてしまう。
【０００６】
そこで、本発明は、コンセントに対するプラグの差込み量を連続的または段階的に表示することで、トラッキング現象が起こり得る状態を外部から確認できる給電装置を提供するものである。
【課題を解決するための手段】
【０００７】
請求項１の発明にあっては、プラグ本体と当該プラグ本体から突出する雄端子とを有するプラグと、前記プラグの雄端子を受け入れる差込口を有するコンセント本体と前記差込口内に設けられ該差込口に挿入される雄端子と電気接触する雌端子とを有するコンセントと、を備えた給電装置であって、前記プラグの雄端子が前記差込口に完全に挿入された第１の位置と、前記プラグの雄端子が前記第１の位置よりも引き出された状態で前記雌端子と非接触となる第２の位置と、の間で、前記プラグの雄端子の挿入量を連続的または段階的に表示する表示部を備え、前記表示部が、前記コンセント本体と前記プラグ本体との間に介在されていることを特徴とする。
【０００８】
請求項２の発明にあっては、プラグ本体と当該プラグ本体から突出する雄端子とを有するプラグと、前記プラグの雄端子を受け入れる差込口を有するコンセント本体と前記差込口内に設けられ該差込口に挿入される雄端子と電気接触する雌端子とを有するコンセントと、を備えた給電装置であって、前記プラグの雄端子が前記差込口に完全に挿入された第１の位置と、前記プラグの雄端子が前記第１の位置よりも引き出された状態で前記雌端子と非接触となる第２の位置と、の間で、前記プラグの雄端子の挿入量を連続的または段階的に表示する表示部を備え、前記表示部が、前記プラグ本体に設けられていることを特徴とする。
【０００９】
請求項３の発明にあっては、プラグ本体と当該プラグ本体から突出する雄端子とを有するプラグと、前記プラグの雄端子を受け入れる差込口を有するコンセント本体と前記差込口内に設けられ該差込口に挿入される雄端子と電気接触する雌端子とを有するコンセントと、を備えた給電装置であって、前記プラグの雄端子が前記差込口に完全に挿入された第１の位置と、前記プラグの雄端子が前記第１の位置よりも引き出された状態で前記雌端子と非接触となる第２の位置と、の間で、前記プラグの雄端子の挿入量を連続的または段階的に表示する表示部を備え、前記表示部が、前記コンセント本体に設けられていることを特徴とする。
【００１０】
請求項４の発明にあっては、請求項１〜３の何れか１項に記載の給電装置であって、前記雄端子の根本部分の所定区間に絶縁部材を被覆してあることを特徴とする。
【００１１】
請求項５の発明あっては、請求項１〜４の何れか１項に記載の給電装置であって、前記表示部は、複数のスリットを有するカバー部と、該カバー部の裏側にスライド自在に配置されて、それのスライド位置に応じた部分が前記スリットから表示されるスライド部と、前記プラグの雄端子の挿入量を前記スライド部のスライド量に連続的に変換するプラグ挿入量変換部と、を備えたことを特徴とする。
【００１２】
例えば、前記スライド部は、前記第１の位置で前記カバー部のスリットから露出する第１の部分と、前記第２の位置で前記カバー部のスリットから露出する第２の部分と、を備えてなり、前記第１の位置で、前記カバー部と前記スライド部の第１の部分とにより完全差し込み状態を表す模様が表示されるようにすることができる
また、前記スライド部は、前記第１の位置で前記カバー部のスリットから露出する第１の部分と、前記第２の位置で前記カバー部のスリットから露出する第２の部分と、を備えてなり、前記第２の位置で、前記カバー部と前記スライド部の第２の部分とにより完全非接触状態を表す模様が表示されるようにしてもよい。
【００１３】
また、前記スライド部は、前記第１の位置で前記カバー部のスリットから露出する第１の部分と、前記第２の位置で前記カバーのスリットから露出する第２の部分と、前記第１の位置と前記第２の位置との間で前記カバー部のスリットから露出する中間部分と、を備えてなり、前記第１の位置と前記第２の位置との中間で、前記カバー部と前記スライド部の中間部分とにより不完全差し込み状態を表す模様が表示されるようにしてよい。
【００１４】
請求項６の発明にあっては、請求項５に記載の給電装置であって、前記スライド部は、スライド位置に応じて前記スリットから露出する模様を備え、前記スライド部は模様の部分が透光素材で形成され、前記模様以外の部分が不透光素材で形成されるとともに、表示部の裏側に光源が配置されることを特徴とする。
【００１５】
なお、前記表示部は、請求項５に記載の表示部に限らず、本発明では、前記プラグの挿入量に応じて光量が変化するものであってもよし、前記プラグの挿入量に応じて音色や音量が変化する鳴動機構であってもよい。
【発明の効果】
【００１６】
請求項１の発明によれば、プラグの雄端子がコンセントの差込口に完全に挿入された状態を第１の位置とし、プラグの雄端子が前記第１の位置よりも引き出された状態でコンセントの雌端子と非接触となる状態を第２の位置とした場合に、表示部はそれら第１の位置と第２の位置との間でプラグの雄端子の挿入量を連続的または段階的に表示することができる。従って、プラグの差し込み状態を表示部の目視により外部から認識できるようになり、使用者にプラグが完全に差し込まれていない微妙な位置関係であることを認識させて、プラグを完全に差し込むことを促すことができる。これによって、使用者がプラグを完全に差し込むことにより、給電装置にトラッキング現象が起こり得る状況を排除することができる。
【００１７】
そして、前記表示部が、前記コンセント本体と前記プラグ本体との間に介在しているため、既存のコンセント本体およびプラグ本体に変更を加える必要がなく、製造コストを低減できる。
【００１８】
請求項２の発明によれば、使用者にプラグが完全に差し込まれていない状態であることを認識させて、プラグを完全に差し込むことを促すことができ、かつ、前記表示部が、プラグ本体に設けられたことにより、従来の一般的なコンセントを利用した場合にも、プラグの差し込み状態を表示部によって表示させることができる。
【００１９】
請求項３の発明によれば、使用者にプラグが完全に差し込まれていない状態であることを認識させて、プラグを完全に差し込むことを促すことができ、かつ、前記表示部が前記コンセント本体に設けられたことにより、従来の一般的なプラグを利用した場合にも、プラグの差し込み状態を表示部によって表示させることができる。
【００２０】
請求項４の発明によれば、前記雄端子の根本部分の所定区間に絶縁部材を被覆したので、プラグが不完全な差し込み状態である場合に、前記表示部によって使用者に認識させることと相俟って、絶縁部材で雄端子に塵埃が直接接触するのを避けてトラッキング現象の防止効果を高めることができる。
【００２１】
請求項５の発明によれば、前記表示部は、プラグ挿入量変換部によってプラグの雄端子の挿入量がスライド部のスライド量に連続的に変換されるため、前記第１の位置と前記第２の位置の過度状態をカバー部のスリットから表示させることができる。従って、プラグの挿入量を電子部品を用いた電気的手段に頼ることなく、機械的に表示部で表示させることができるため、待機電力の発生を無くして省電力化を達成できる。
【００２２】
請求項６の発明によれば、模様の部分が透光素材で形成され、模様以外の部分が不透光素材で形成されたことにより、表示部の裏側から入射される光源の光を透光素材で透過させて、模様の視認性をより高めることができる。
【００２３】
なお、複数の模様を備える場合には、複数の模様のうち１つだけが透光素材で形成して、それ以外の部分が不透光素材で形成することにより特に強調したい１つの模様だけを光らせて、他の模様よりも強調することができる。
【発明を実施するための最良の形態】
【００２４】
以下、本発明の実施形態について図面を参照しつつ詳細に説明する。
【００２５】
（第１実施形態）
図１〜図５は本発明にかかる給電装置の第１実施形態を示し、図１は表示部およびコンセントを断面して示すプラグとコンセントを分離した給電装置の正面図である。
【００２６】
図１に示すように給電装置１は、プラグ２とコンセント３とを備えて構成される。プラグ２は、プラグ本体２１の一端面２１ａから所定間隔を設けて突出される一対の雄端子２２を備える。コンセント３は、コンセント本体３１のプラグ本体２１に対向する対向面３１ａに雄端子２２を受け入れる一対の差込口３２が形成されるとともに、それら差込口３２内に雄端子２２と電気接触する雌端子３３が設けられる。
【００２７】
そして、プラグ２の雄端子２２をコンセント３の差込口３２に差し込むことにより、雄端子２２と雌端子３３とが電気接触して導通し、コンセント３からプラグ２に配電される。
【００２８】
本実施形態では、図１に示すように、雄端子２２の根本部分の所定区間Ｋに、絶縁部材２０が被覆される。なお、所定区間Ｋは、プラグ２がコンセント３に不完全状態で差し込まれた際に、雄端子２２がコンセント３の差込口３２から突出する部分として設定されることが好ましい。
【００２９】
ここで、本発明にあっては、コンセント本体３１とプラグ本体２１との間に、プラグ２の雄端子２２の挿入量（挿入程度）を連続的（複数多段に段階的でもよい）に表示する表示部１０を介在させてある。
【００３０】
図２はプラグの雄端子をコンセントの差込口に差し込まれた状態を示す要部断面図であって、（ａ）に第１の位置を示し、（ｂ）に第２の位置を示す図である。
【００３１】
表示部１０は、図２（ａ）に示すように、雄端子２２が差込口３２に完全に挿入された第１の位置Ｐ１と、図２（ｂ）に示すように、雄端子２２が第１の位置よりも引き出された状態で雌端子３３と非接触となる第２の位置Ｐ２と、の間で、当該第１の位置Ｐ１および第２の位置Ｐ２とは別に、プラグ２の雄端子２２の挿入量の変化を連続的に表示する。
【００３２】
表示部１０は、図１に示すように、複数のスリット１１Ｓを有するカバー部１１と、該カバー部１１の裏側１１ａにスライド自在に配置されて、それのスライド位置に応じた部分がスリット１１Ｓから表示されるスライド部１２と、プラグ２の雄端子２２の挿入量をスライド部１２のスライド量に連続的に変換するプラグ挿入量変換部１３と、を備えて構成される。
【００３３】
図３は（ａ）に表示部のスライド部と（ｂ）に表示部のカバー部をそれぞれ示す平面図、図４はスリット部を詳細に示す平面図である。
【００３４】
カバー部１１１０は、図３（ｂ）に示すように、合成樹脂を用いた不透光素材によって所定長さＬ１の薄肉短冊状に形成され、それの両端部の所定領域に、複数のスリット１１Ｓが長さＬ１に対して直角方向を指向して、それぞれが一定のピッチｐをもって平行に形成されている。短冊状に形成されたカバー部１１の中央部には中央開口部１１ｈ１が形成されるとともに、その中央開口部１１ｈ１の長さＬ１方向両側にはプラグ２の雄端子２２を挿通する一対の開口部１１ｈ２が形成されている。尚、図１，図３（ｂ）では、便宜上、スリット１１Ｓの数は３本となっているが、その本数は３本に限ることなく、本実施形態では図４に示すように多数本が形成される。
【００３５】
また、カバー部１１の裏側１１ａは、図１に示すように、スライド部１２が挿通される程度の隙間を設けて底板１１Ｂが取り付けられ、その底板１１Ｂの周縁部を立ち上げてカバー部１１の周囲に結合することにより、全体として扁平な箱状体が構成される。そして、その箱状となったカバー部１１と底板１１Ｂとの間に、スライド部１２の両端部が摺動自在に挿入される。このとき、底板１１Ｂには開口部１１ｈ２（図３（ｂ）参照）と重なるようにしてプラグ２の雄端子２２を挿通する一対の開口部が形成されている。尚、開口部１１ｈ２の周縁部には、雄端子２２に摺動自在に嵌合されるスライダー１４が取り付けられて補強されている。
【００３６】
スライド部１２は、図３（ａ）に示すように、弾性力を有する可撓性素材によって所定長さＬ２の薄肉短冊状に形成され、それの中央部には所定のスライド量を確保しつつプラグ２の雄端子２２を挿通する一対の開口部１２ｈが形成される。
【００３７】
また、図１に示すように、スライド部１２の中央部にはプラグ２方向（図中上方）に逆Ｖ字状に突出させた山形部分１２Ｍ１が形成されている。そして、表示部１０の組み付け時には、スライド部１２の両端部をカバー部１１の下側１１ａに挿入した状態で、山形部分１２Ｍ１の頂部１２Ｍ１ｔが、一対の雄端子２２の根本部分に跨って結合した絶縁板２３に、クリップや溶着等による固定部１２ｆによって固定される。
【００３８】
このとき、プラグ挿入量変換部１３は、山形部分１２Ｍ１と絶縁板２３と固定部１２ｆとによって構成される。
【００３９】
即ち、プラグ挿入量変換部１３は、プラグ２をコンセント３に差し込むことにより、コンセント３の対向面３１ａに底板１１Ｂが当接して、該底板１１Ｂがカバー部１１とともにプラグ本体２１方向に近接する。すると、山形部分１２Ｍ１の頂部１２Ｍ１ｔが絶縁板２３に押圧されて平坦化される方向に伸展変形されるため、スライド部１２の両端部は伸長し、その伸長量がスライド量となってカバー部１１の裏側１１ａに沿ってスライドする。
【００４０】
スライド部１２の長さＬ２方向の両端部には、図３（ａ）に示すように、第１の位置Ｐ１でカバー部１１のスリット１１Ｓから露出する第１の部分Ｑ１と、第２の位置Ｐ２でカバー部１１のスリット１１Ｓから露出する第２の部分Ｑ２と、第１の位置Ｐ１と第２の位置Ｐ２との間でカバー部１１のスリット１１Ｓから露出する中間部分Ｑｍと、が設けられている。
【００４１】
次に、表示部１０によって表示される模様について説明する。
【００４２】
図５は、表示部によって表示される模様（完全差し込み状態を表す模様Ｄ１、不完全差し込み状態を示す模様Ｄｍ、完全脱出状態を表す模様Ｄ２）を示す説明図である。
【００４３】
図５（ａ）に示すように、第１の位置Ｐ１では、カバー部１１とスライド部１２の第１の部分Ｑ１とにより完全な差し込み状態を表す模様Ｄ１（この例では模様なし）が表示される。
【００４４】
また、図５（ｃ）に示すように、第２の位置（初期位置）Ｐ２では、カバー部１１とスライド部１２の第２の部分Ｑ２とにより完全な脱出状態（非接触状態）を示す模様Ｄ２（この例では模様なし）が表示される。
【００４５】
また、図５（ｂ）に示すように、第１の位置Ｐ１と第２の位置Ｐ２との間（この例では中間位置）Ｐｍでは、カバー部１１とスライド部１２の第２の部分Ｑｍとにより不完全な差し込み状態を表す模様Ｄｍが表示される。
【００４６】
本実施形態では、図５（ｂ）に示すように、不完全な差し込み状態を表す模様Ｄｍは、カバー部１１の一端部（図１中左端部）側のスリット形成領域Ａ１で表示される“危”と、カバー部１１の他端部（図１中右端部）側のスリット形成領域Ａ２で表示される“険”と、によって表現される。即ち、スライド部１２の第１部分Ｑ１と第２部分Ｑ２との間の中間部分Ｑｍには、第１部分Ｑ１および第２部分Ｑ２を飛び越えて、“危”および“険”という文字からなる模様Ｄｍが描かれている。そのため、第１の位置Ｐ１と第２の位置Ｐ２との間に対応した位置Ｐｍにスライド部１２がスライドすると、カバー部１１のブラインド状部分１１ｄに対応する部分を除いたスリット１１Ｓから“危”および“険”の模様がスリット１１Ｓから現れ、ブラインド状部分１１ｄを含めて全体として“危”および“険”として錯覚により読み取ることができる。
【００４７】
次に、本実施形態の作用を説明する。
【００４８】
第２の位置（図２ｂ、図５ｃ）
図２（ｂ）に示すように、プラグ２の雄端子２２をコンセント３の差込口３２から完全に引き抜いた状態（初期状態）では、図１に示すように、プラグ２の雄端子２２がコンセント３の雌端子３３に接触されず、かつ、表示部１０の底板１１Ｂがコンセント３の対向面３１ａに接触しない表示部１０の自然状態（初期状態）である。この自然状態では山形部分１２Ｍ１が全く変形されていないため、スライド部１２の両端部は雄端子２２側に最も短縮した位置にある。この状態では、スライド部１２の第２の部分Ｑ２がスリット１１Ｓから露出して、図５（ｃ）に示すように、模様Ｄ２（模様なし）が表示部１０に表示される。このとき、第１の部分Ｑ１の模様Ｄ１および中間部分Ｑｍの模様Ｄｍは、ブラインド状部分１１ｄに隠される。
【００４９】
第１の位置（図２ａ、図５ａ）
図２（ａ）に示すように、プラグ２の雄端子２２をコンセント３の差込口３２に完全に挿入すると、カバー部１１の底板１１Ｂがコンセント３の対向面３１ａに押圧されて最もプラグ本体２１側に押し付けられ、スライド部１２の山形部分１２Ｍ１が略伸展状態となるため、スライド部１２の両端部は、雄端子２２から遠ざかる方向に最も伸長した位置となる。この状態では、第１の部分Ｑ１がスリット１１Ｓから露出して、図５（ｃ）のように、模様Ｄ１（“安”および“全”）が表示部１０に表示される。このとき、中間部分Ｑｍの模様Ｄｍおよび第２部分Ｑ２の模様（模様なし）Ｄ２はブラインド状部分１１ｄに隠される。
【００５０】
中間位置（図５ｂ）
以上のような図２（ａ）と図２（ｂ）との途中の状態では、つまり、第１の位置Ｐ１と第２の位置Ｐ２との間の状態では、プラグ２の不完全な差し込み状態となる。このようなプラグ２の不完全な差し込み状態では、カバー部１１の底板１１Ｂがコンセント３の対向面３１ａに接触されて表示部１０をある程度持ち上げられた状態にある。このとき、スライド部１２の山形部分１２Ｍ１はある程度押し潰された状態にあり、スライド部１２の両端部は図１に示す状態から所定量、雄端子２２から遠ざかる方向に押し出されている。この状態では、中間部分Ｑｍがスリット１１Ｓから露出して、図５（ｂ）に示すように、模様Ｄｍ（“危”および“険”）が表示部１０に表示される。模様Ｄｍ（“危”および“険”）の露出量は、プラグの挿入量（スライド部のスライド量）によって連続的に変化し、、第１の位置Ｐ１と第２の位置Ｐ２のちょうど中間位置で、スリット１１Ｓから中間部分Ｑｍが完全に露出して、模様Ｄｍ（“危”および“険”）が最も色濃く表示される。なおこのとき、第１の部分Ｑ１の模様Ｄ１および第２の部分Ｑ２の模様Ｄ２はブラインド状部分１１ｄに完全に隠される。
【００５１】
そのため、プラグ２の差し込み状態が、完全な差し込み状態（図５ａ）と、完全な脱出状態（図５ｃ）と、の間に在る場合には、スリット１１Ｓから露出する模様Ｄｍが、第１の位置Ｐ１（図５ａ）および第２の位置（図５ｃ）に近づくに従って薄くなり、中間位置（図５ｃ）に近づくに従って濃くなる。そのため、中間部分Ｄｍの露出量つまり模様Ｑｍの濃さを見ることによって、プラグ２の雄端子２２の差し込み量を容易に認識できる。
【００５２】
以下、本実施形態の効果を列挙する。
【００５３】
（１）本実施形態の給電装置１によれば、プラグ２の雄端子２２の挿入量を連続的に表示する表示部１０を備え、この表示部１０は、プラグ２の雄端子２２がコンセント３の差込口３２に完全に挿入された第１の位置Ｐ１と、雄端子２２が第１の位置Ｐ１よりも引き出された状態でコンセント３の雌端子３３と非接触となる第２の位置Ｐ２と、の間で雄端子２２の挿入量を連続的に表示することができる。
【００５４】
従って、プラグ２の差し込み状態が第１の位置Ｐ１と第２の位置Ｐ２との間である場合は、使用者にプラグ２が完全に差し込まれていない微妙な位置関係であることを、表示部１０の目視により外部から使用者に認識させることができる。これによって、使用者がプラグ２を完全に差し込むことにより、給電装置１にトラッキング現象が起こり得る状況を排除することができる。
【００５５】
（２）また本実施形態の給電装置１によれば、表示部１０が、コンセント本体２１とプラグ本体３１との間に介在されているため、既存のコンセント本体２１およびプラグ本体に変更を加える必要がなく、製造コストを低減できる。また、従来の一般的なコンセント３およびプラグ２に表示部１０を後付けにより取り付けることも可能となる。
【００５６】
（３）また本実施形態では、プラグ２の雄端子２２の根本部分の所定区間Ｋに絶縁部材２０を被覆したので、プラグ２が不完全な差し込み状態である場合に、表示部１０によって使用者に認識させることと相俟って、絶縁部材２０で雄端子２２に塵埃が直接接触するのを避けて、トラッキング現象の防止効果を高めることができる。
【００５７】
（４）また本実施形態では、表示部１０は、カバー部１１と、スライド部１２と、プラグ挿入量変換部１３と、を備えて構成され、プラグ挿入量変換部１３によってプラグ２の雄端子２２の挿入量をスライド部１２のスライド量に連続的に変換するため、第１の位置Ｐ１と第２の位置Ｐ２の過度状態をカバー部１１のスリット１１Ｓから表示させることができる。
【００５８】
従って、プラグ２の挿入量を電子部品を用いた電気的手段に頼ることなく、機械的に表示部１０で表示させることができるため、待機電力の発生を無くして省電力化を達成できる。
【００５９】
（５）また本実施形態では、スライド部１２には、第１の位置Ｐ１でカバー部１１のスリット１１Ｓから露出する第１の部分Ｑ１と、第２の位置Ｐ２でカバー部１１のスリット１１Ｓから露出する第２の部分Ｑ２と、第１の位置Ｐ１と第２の位置Ｐ２との間（この例では中間位置Ｐｍ）でカバー部１１のスリット１１Ｓから露出する中間部分Ｑｍと、が設けられる。そして、第１の位置Ｐ１と第２の位置Ｐ２との中間位置Ｐｍで、カバー部１１とスライド部１２の中間部分Ｑｍとにより不完全な差し込み状態を表す模様Ｄｍを表示するようになっている。
【００６０】
従って、第１の位置Ｐ１と第２の位置Ｐ２との間（この例では中間位置Ｐｍ）では、模様Ｄｍで不完全な差し込み状態を認識できる。従って、プラグ２の雄端子２２の差し込み状態が、それぞれの状態を表す模様Ｄｍによって容易かつ間違うことなく認識することができる。
【００６１】
（第１実施形態の変形例）
第１実施形態の変形例としては、表示部１０の両端部に設けたスリット形成領域Ａ１，Ａ２が、プラグ本体２１の側面に沿う方向に立ち上げられるようになっていてもよい。この場合、表示部１０の両端部をプラグ本体２１の側面に沿って立ち上げたので、側方からの視認性を向上できるとともに、コンパクト化を図ることができる。
【００６２】
（第２実施形態）
図６は本発明の第２実施形態を示し、第１実施形態と同一構成部分に同一符号を付して重複する説明を省略して述べる。図６は表示部を断面して示すプラグとコンセントを分離した給電装置の正面図である。
【００６３】
本実施形態の給電装置１Ａの第１実施形態と主に異なる点は、プラグ挿入量変換部１３Ａを、スライド部１２の中央部を分離して、対向する一対の分離端部１２ｅ側を雄端子２２の先端方向に湾曲させるとともに、それぞれの分離端部１２ｅを雄端子２２に摺動自在に取り付けて構成したことにある。即ち、雄端子２２にはスライダー１４Ａが摺動自在に嵌合されており、そのスライダー１４Ａに分離端部１２ｅが結合される。そして、プラグ２をコンセント３に差し込むことによって、スライダー１４Ａが対向面３１ａに接触した後は、スライダー１４Ａがプラグ本体２１方向に押し上げられるようになっている。
【００６４】
また、本実施形態ではカバー部１１の中央部分は、雄端子２２が突出される一端面２１ａに結合されるとともに、底板１１Ｂは長さ方向中央部が分離されて、それぞれの分離端部１１ｅは雄端子２２に挿通して取り付けられる。このとき、スライド部１２の分離端部１２ｅは、底板１１Ｂに形成された図外の開口部を通過してスライダー１４Ａへと湾曲される。
【００６５】
従って、本実施形態の給電装置１Ａによれば、第１実施形態と同様に、雄端子２２の差し込み状態に応じてスライド部１２がスライドすることにより、中間部分Ｑｍがスリット１１Ｓから露出する露出量が変化することになり、第１実施形態と同様の作用効果が得られる。
【００６６】
（第３実施形態）
図７，図８は本発明の第３実施形態を示し、各実施形態と同一構成部分に同一符号を付して重複する説明を省略して述べるものとし、図７は表示部およびプラグの一部を断面して示すプラグとコンセントを分離した給電装置の正面図、図８は表示部およびプラグの平面図である。
【００６７】
本実施形態の給電装置１Ｂの第１実施形態と主に異なる点は、表示部１０Ｂがプラグ本体２１に設けられたことにある。
【００６８】
即ち、本実施形態では、プラグ本体２１の上部両側から一体に一対の角状突出部１５が突設され、その角状突出部１５の図中上面がカバー部１１となり、図８に示すように、そのカバー部１１に複数のスリット１１Ｓが形成される。そして、そのカバー部１１の裏側１１ａにスライド部１２が挿入される摺動空間１５Ｓが形成され、その摺動空間１５Ｓにスライド部１２の長さ方向両端部が摺動自在に挿入される。尚、図８中、１６はプラグ２のコードである。
【００６９】
また、プラグ挿入量変換部１３Ｂは、スライド部１２の長さ方向中央部を雄端子２２の方向（図中下方）にＶ字状に突出させた山形部分１２Ｍ２と、プラグ本体２１の一端面２１ａの中央部から一端部１７ａが摺動自在に突出する操作棒１７と、を備えて構成される。操作棒１７の他端部１７ｂの先端に山形部分１２Ｍ２の頂部１２Ｍ２ｔが当接される。また、操作棒１７はプラグ本体２１の他端部７ｂ側が所定区間に亘って中空状に形成され、その中空部がプラグ本体２１の内側頂部から突出するガイド棒１７ｃに摺動自在に外嵌して移動案内されるようになっている。
【００７０】
従って、本実施形態の給電装置１Ｂによれば、プラグ２をコンセント３に差し込むことにより、操作棒１７の一端部１７ａの先端がコンセント３の対向面３１ａに接触した後は、プラグ２の更なる差し込みに伴って上記操作棒１７がプラグ本体２１内に押し込められる。すると、操作棒１７の他端面１７ｂがスライド部１２の山形部分１２Ｍ２の頂部１２Ｍ２ｔを押圧して、その山形部分１２Ｍ２が伸展される方向に変形されて、スライド部１２の両端部は雄端子２２から遠ざかる方向にスライドする。なお、スライド部１２の山形部分１２Ｍ２は、操作棒１７のリターンスプリングとして機能する。
【００７１】
これにより、第１の位置Ｐ１と第２の位置Ｐ２との間では、第１実施形態と同様に中間部分Ｑｍがスリット１１Ｓから露出する露出量が変化することになり、第１実施形態と同様の作用効果を奏することができる。
【００７２】
また、本実施形態では、表示部１０Ｂがプラグ本体２１の上部両側から突設した角状突出部１５の上面に配置されたことにより、プラグ２上方からの視認性が向上される。
【００７３】
（第４実施形態）
図９，図１０は本発明の第４実施形態を示し、各実施形態と同一構成部分に同一符号を付して重複する説明を省略して述べるものとし、図９はプラグの側断面図、図１０はプラグの正面図である。
【００７４】
本実施形態の給電装置１Ｃは、第３実施形態と同様に表示部１０Ｃがプラグ本体２１に設けられるが、本実施形態が第３実施形態と主に異なる点は、上記表示部１０Ｃがプラグ本体２１に設けられたことにある。
【００７５】
即ち、表示部１０Ｃは、プラグ本体２１の正面側の側壁がカバー部１１となり、そのカバー部１１に複数のスリット１１Ｓが形成される。そして、そのカバー部１１の裏側１１ａにスライド部１２が挿入される摺動空間２１Ｓが形成され、その摺動空間２１Ｓにスライド部１２の一端部１２ａが摺動自在に配置される。尚、スリット１１Ｓは、その本数が図９の側面と図１０の正面で便宜上異なって示されるが、勿論、実際は側面および正面で同数であって、その本数は任意に設定できる。
【００７６】
スライド部１２は、プラグ本体２１の内部にプラグ２の差し込み方向（図中上下方向）に配置され、一端部１２ａがカバー部１１の裏側１１ａに配置されるとともに、他端部１２ｂはＵ字状に折り返されてプラグ本体２１の内部中心側に配置される。このとき、スライド部１２の折返し部１２ｃの外側は、プラグ本体２１に固定される断面三日月状のガイド１８に摺接している。
【００７７】
プラグ挿入量変換部１３Ｃは、プラグ本体２１の一端面２１ａの中央部から一端部１７ａが摺動自在に突出する操作棒１７Ａを備えて構成され、該操作棒１７Ａの他端部１７ｂに、スライド部１２の他端部１２ｂがリング１７ｒを介して回転自在に取り付けられる。
【００７８】
また、本実施形態にあっても、操作棒１７Ａの他端部１７ｂは、所定区間に亘って形成された中空部にガイド棒１７ｃが摺動自在に嵌合されており、そのガイド棒１７ｃに、操作棒１７Ａの一端部１７ａを突出させる方向に付勢するリターンスプリング１７ｓが設けられる。
【００７９】
従って、本実施形態の給電装置１Ｃによれば、プラグ２をコンセント３に差し込むことにより、第３実施形態と同様に、操作棒１７Ａの一端部１７ａの先端がコンセント３の対向面３１ａに接触した後は、プラグ２の更なる差し込みに伴って上記操作棒１７Ａがプラグ本体２１内に押し込められる。
【００８０】
すると、スライド部１２の他端部１２ｂが操作棒１７Ａとともに押し上げられることに伴って、折返し部１２ｃがガイド１８に案内されて一端部１２ａがカバー部１１に沿ってスライドする。
【００８１】
これにより、第１実施形態と同様に、第１の位置Ｐ１と第２の位置Ｐ２との間では、中間部分Ｑｍのスリット１１Ｓからの露出量が連続的に変化することになり、第１実施形態と同様の作用効果を奏することができる。
【００８２】
また、本実施形態では、表示部１０Ｃがプラグ本体２１の正面側側面に配置されたことにより、プラグ２の側方からの視認性が向上される。
【００８３】
（第５実施形態）
図１１，図１２は本発明の第５実施形態を示し、前記各実施形態と同一構成部分に同一符号を付して重複する説明を省略して述べるものとし、図１１は表示部およびコンセントを断面して示すプラグとコンセントを分離した給電装置の正面図、図１２はコンセントの平面図である。
【００８４】
本実施形態の給電装置１Ｄの第１実施形態と主に異なる点は、表示部１０Ｄがコンセント本体３１に設けられたことにある。
【００８５】
即ち、表示部１０Ｄは、コンセント本体３１の一対の差込口３２を挟んだ幅方向両側に配置され、コンセント３の対向面３１ａがカバー部１１となり、そのカバー部１１に複数のスリット１１Ｓが形成される。そして、そのカバー部１１の裏側１１ａにスライド部１２が挿入される摺動空間３１Ｓが形成され、その摺動空間３１Ｓにスライド部１２の長さ方向両端部が摺動自在に挿入される。尚、スリット１１Ｓは、その本数が図１１の正面と図１２の平面で便宜上異なって示されるが、勿論、実際は正面および平面で同数であって、その本数は任意に設定できる。
【００８６】
スライド部１２は、コンセント本体３１の内部に一対の差込口３２の対向方向、つまり、コンセント本体３１の幅方向（図１１中左右方向）に配置され、スライド部１２の長さ方向両端部がカバー部１１の裏側１１ａに配置される。
【００８７】
プラグ挿入量変換部１３Ｄは、スライド部１２の長さ方向中央部をプラグ２とは反対方向（図中下方）にＶ字状に突出させた山形部分１２Ｍ３と、コンセント本体３１の一対の差込口３２間の中央部から一端部（図中上端部）１７ａが摺動自在に突出する操作棒１７Ｂと、を備えて構成される。
【００８８】
操作棒１７Ｂの他端部（図中下端部）１７ｂの先端に、山形部分１２Ｍ３の頂部１２Ｍ３ｔの内側が当接される。操作棒１７Ｂの他端部１７ｂは、所定区間に亘って形成された中空部に、コンセント本体３１の底部から突設するガイド棒１７ｃが摺動自在に嵌合されている。また、そのガイド棒１７ｃには、操作棒１７Ｂの一端部１７ａを突出させる方向に付勢するリターンスプリング１７ｓが設けられる。
【００８９】
従って、本実施形態の給電装置１Ｄによれば、プラグ２をコンセント３に差し込むことにより、操作棒１７Ｂの一端部１７ａの先端がプラグ本体２１の一端面２１ａに接触した後は、プラグ２の更なる差し込みに伴って上記操作棒１７Ｂがコンセント本体３１内に押し込められる。すると、スライド部１２の山形部分１２Ｍ３が操作棒１７Ｂの他端部１７ｂの先端で更に押圧されて、その山形部分１２Ｍ３の突出量が更に増大される方向に変形し、スライド部１２の両端部はコンセント本体３１の中心方向に引き寄せられる。
【００９０】
これにより、第１実施形態と同様に、第１の位置Ｐ１と第２の位置Ｐ２との間では、中間部分Ｑｍのスリット１１Ｓからの露出量が連続的に変化することになり、第１実施形態と同様の作用効果を奏することができる。尚、本実施形態では第１の部分Ｑ１，中間部分Ｑｍおよび第２の部分Ｑ２の配置順序が第１実施形態とは逆になっている。
【００９１】
また、本実施形態では、表示部１０Ｄがコンセント本体３１に設けられたことにより、従来の一般的なプラグ２を利用した場合にも、プラグ２の差し込み状態を表示部１０Ｄによって表示させることができる。
【００９２】
（第５実施形態の変形例）
ところで、第５実施形態では図１２に示すように、コンセント３の一対の差込口３２が２箇所設けられた場合を示したが、勿論、１箇所若しくは３箇所以上として構成することができる。また、第５実施形態では、操作棒１７Ｂのプラグ雄端子の差込量を検出する部分１７ａが、コンセント本体３１の上面から突出しているが、例えば、操作棒１７Ｂのプラグ雄端子の差込量を検出する部分を、コンセント本体３１の差込口３２内に設けて、操作棒１７Ｂがコンセント本体３１から突出しないようにすることもできる。
【００９３】
（表示部の模様の変形例）
ところで、上述の第１〜第５実施形態にあっては、第１の位置Ｐ１と第２の位置Ｐ２との間でスライド部１２の中間部分Ｑｍの模様Ｄｍ（図５ｂ）を表示して、第１の位置Ｐ１および第２の位置Ｐ２では模様なしとしているが、本発明にあっては第１の位置Ｐ１および第２の位置Ｐ２で別途模様を設けてもよいし、模様は第１〜第５実施形態にのみ限定されない。
【００９４】
（模様の第１変形例）
図１３は表示部の模様の第１の変形例を示す。
【００９５】
この例では、上記実施形態と同様に、スライド部１２の中間部分Ｑｍの模様Ｄｍが第１〜第５実施形態と同様に“危険”（図１３ｂ参照）であり、スライド部１２の第１の部分Ｑ１の模様Ｄ１が“安全”（図１３ａ参照）であり、スライド部１２の第２の部分の模様Ｄ２が模様なしである。そのため、第１の位置Ｐ１（図１３ａ）では、スライド部１２の第１の部分Ｑ１により完全な差し込み状態を表す模様Ｄ１（“安全”）が表示され、第１の位置Ｐ１と第２の位置Ｐ２との中間位置Ｐｍ（図１３ｂ）では、カバー部１１とスライド部１２の中間部分Ｑｍとにより不完全な差し込み状態を表す模様Ｄｍ（“危険”）が表示される。
【００９６】
従って、この第１変形例によれば、第１の位置Ｐ１では、模様Ｄ１で完全な差し込み状態を認識できるとともに、第１の位置Ｐ１と第２の位置Ｐ２との間（この例では中間位置Ｐｍ）では、模様Ｄｍで不完全な差し込み状態を認識できる。従って、プラグ２の雄端子２２の差し込み状態が、それぞれの状態を表す模様Ｄ１およびＤｍによって容易かつ間違うことなく認識することができ、さらに安全性が高まる。
【００９７】
なお、第１の位置Ｐ１と中間位置との間では、模様Ｄ１と模様Ｄｍとが混在することとなり、第１の位置Ｐ１に近いほど模様Ｄ１が濃く且つ模様Ｄｍが薄くなり、中間位置Ｐ１に近いほど模様Ｄ１が薄く模様Ｄｍが濃くなる。
【００９８】
（模様の第２変形例）
図１４は表示部の模様の第２の変形例を示す。
【００９９】
この例では、スライド部１２は、第１の部分Ｑ１と第２の部分Ｑ２を備えるがこれら第１の部分Ｑ１と第２の部分Ｑ２とは隙間無く連続しており、第１の部分Ｑ１と第２の部分Ｑ２との間に、上述した中間部分（Ｑｍ）が無い構造をしている（図示省略）。
【０１００】
この例では、スライド部１２の第１の部分Ｑ１の模様Ｄ１が“安全”（図１４ａ参照）であり、スライド部１２の第２の部分Ｑ２の模様Ｄ２が模様なしである。そのため、第１の位置Ｐ１（図１４ａ）では、スライド部１２の第１の部分Ｑ１により完全な差し込み状態を表す模様Ｄ１（“安全”）が表示され、第２の位置Ｐ２（図１４ｃ）では、当該第１の部分の模様Ｄ１が完全に隠れて、スライド部１２の第２の部分Ｑ２の模様Ｄ２（模様なし）が表示される。そして、第１の位置Ｐ１と第２の位置Ｐ２との間（図１４ｂ）では、プラグ２の雄端子２２の差込量に応じて、模様Ｄ１の露出量が変化するようになっている。
【０１０１】
従って、この第２変形例によれば、第１の位置Ｐ１では、模様Ｄ１で完全な差し込み状態を認識できるとともに、第１の位置Ｐ１と第２の位置Ｐ２との間では、プラグ２の差込量を模様Ｄ１の濃さによって認識できる。
【０１０２】
（模様の第３変形例）
模様の第３変形例としては、第２変形例とは逆に、スライド部１２の第１の部分Ｑ１の模様Ｄ１が模様なしとし、スライド部１２の第２の部分Ｑ２の模様Ｄ２が“安全”としてもよい。
【０１０３】
（模様の第４変形例）
図１５は表示部の模様の第４の変形例を示す。
【０１０４】
この第４変形例では、カバー部１１の一端部（図−２中左端部）側のスリット形成領域Ａ１と、カバー部１１の他端部（図−２中右端部）側のスリット形成領域Ａ２とで、表示形態が異なっており、スリット形成領域Ａ１で第２変形例の表示形態を採用し、スリット形成領域Ａ２で第３変形例の表示形態を採用している。以下具体的に説明する。
【０１０５】
この第４変形例においては、第２〜第３変形例と同様に、スライド部１２が、第１の部分Ｑ１と第２の部分Ｑ２を備えるがこれら第１の部分Ｑ１と第２の部分Ｑ２とは隙間無く連続しており、第１の部分Ｑ１と第２の部分Ｑ２との間に中間部分がない構造をしている（図示省略）。
【０１０６】
まず、スリット形成領域Ａ１について説明すると、スライド部１２の第１の部分Ｑ１の模様Ｄ１が“閉”（図１５ａ参照）であり、スライド部１２の第２の部分Ｑ２の模様Ｄ２が模様なしである。そのため、スリット形成領域Ａ１では、第１の位置Ｐ１（図１５ａ）で完全な差し込み状態を表す模様Ｄ１（“閉”）が表示され、第２の位置Ｐ２（図１５ｃ）で完全な脱出状態を表す模様Ｄ２（模様なし）が表示される。そして、第１の位置Ｐ１と第２の位置Ｐ２との間（図１５ｂ）では、プラグ２の雄端子２２の差込量に応じて、模様Ｄ１（“閉”）の露出量が変化するようになっている。
【０１０７】
また、スリット形成領域Ａ２では、スライド部１２の第１の部分Ｑ１の模様Ｄ１が模様なしであり（図１５ａ参照）、スライド部１２の第２の部分Ｑ２の模様Ｄ２が“開”である。そのため、第２の位置Ｐ２（図１５ｃ）では、スライド部１２の第２の部分Ｑ２により完全な脱出状態を表す模様Ｄ２（“開”）が表示され、第１の位置Ｐ１（図−１０ａ）では、スライド部１２の第１の部分Ｑ１によって完全な脱出状態（非接触状態）を示す模様Ｄ２（模様なし）が表示される。そして、第１の位置Ｐ１と第２の位置Ｐ２との間（図１５ｂ）では、プラグ２の雄端子２２の差込量に応じて、模様Ｄ１の露出量が変化するようになっている。
【０１０８】
従って、この第２変形例によれば、第１の位置Ｐ１では、模様Ｄ１で完全な差し込み状態を認識できるとともに、第２の位置Ｐ２では、模様Ｄ２で完全な差し込み状態を認識できるとともに、第１の位置Ｐ１と第２の位置Ｐ２との間では、プラグ２の差込量を模様Ｄ１、Ｄ２の濃さによって認識できる。
【０１０９】
なお、上記第１〜第５実施形態において、それぞれの表示部１０，１０Ａ〜１０Ｄでは、模様Ｄ１、Ｄｍ、Ｄ２を透光素材を形成して、それら模様Ｄ１，Ｄｍ以外の部分を不透光素材で形成して、表示部１０，１０Ａ〜１０Ｄの裏側から光を透過させることが好ましい。こうすることにより、表示部１０，１０Ａ〜１０Ｄの裏側から入射される光が透光素材で透過されるため、模様Ｄ１または模様Ｄｍの視認性をより高めることができる。
【０１１０】
また、「模様の第１変形例」のように模様が複数ある場合には、特に強調したい１つの模様のみを透光素材で形成して、裏面から光りを透過させてもよい。このようにすると特に強調したい模様のみ光らせて強調することができる。
【０１１１】
（第６実施形態）
図１６は本発明の第６実施形態を示し、前記各実施形態と同一構成部分に同一符号を付して重複する説明を省略して述べるものとする。図１６は表示部の作動状態を（ａ）〜（ｃ）に順を追って示す要部構成の断面図である。
【０１１２】
この第６実施形態では、図１６に示すように、スライド部１２の第１の部分Ｑ１または中間部分Ｑｍまたは第２の部分Ｑ２の一つ（本実施形態では中間部分Ｑｍ）を、透光素材で形成し、それ以外の部分を不透光素材で形成するとともに、表示部１０Ｅの裏側に光源Ｌｓを配置してある。なお、この実施形態では、第１の部分Ｑ１が第２の部分Ｑ２を兼ねている。
【０１１３】
そして、本実施形態によれば、図１６（ａ）に示すように、第１の部分Ｑ１（第２の部分Ｑ２）でスリット１１Ｓを遮蔽した状態では、光源Ｌｓの光が透過するのが遮断され、図１６（ｃ）に示すように、中間部分Ｑｍの全部がスリット１１Ｓに位置した状態では全開状態となって、光源Ｌｓの光はスリット１１Ｓの全面積から透過され、図１６（ｅ）に示すように、第２の部分Ｑ２（第１の部分Ｑ１）でスリット１１Ｓを遮蔽した状態では光源Ｌｓの光が透過するのが遮断される。
【０１１４】
このとき、図１６（ｂ）および図１６（ｄ）に示すように第１の部分Ｑ１の一部と中間部分Ｑｍの一部とがスリット１１Ｓに位置した状態では、光源Ｌｓの光は中間部分Ｑｍを透過してスリット１１Ｓは半開状態となる。
【０１１５】
このように、透光素材で形成した中間部分Ｑｍとスリット１１Ｓとの重なり量が変化することにより、プラグ２の挿入量を透光素材を透過する光源Ｌｓの光量変化で検出できる。
【０１１６】
尚、本第６実施形態では、第１の部分Ｑ１および第２の部分Ｑ２を透光素材で形成し、中間部分Ｑｍを不透光素材で形成してもよい。
【０１１７】
また、スライド部１２をスリット状にして、つまり、スライド部１２の透光素材の部位を開口にして、光や音の通過量を変化させてもよい。なお音の例に関しては以下の第７実施形態で説明する。
【０１１８】
（第７実施形態）
つまり、本発明においては、第６実施形態と同様の原理を利用して、表示部を、プラグ２の挿入量に応じて、音色や音量が変化する鳴動機構により構成してもよい。鳴動機構としては、プラグ２の挿入量に応じて静電容量やインダクタンスあるいは電気抵抗等の電気的特性を変化させて、音色や音量の変化に対応させる構成とすることができる。
【０１１９】
即ち、静電容量を変化させる鳴動機構としては、カバー部１１とスライド部１２とを導電部材によって形成して、スライド部１２にスリット１１Ｓに対応した開口部を形成する。そして、カバー部１１とスライド部１２との間に僅かの隙間を設けてそれぞれに通電した状態で、スライド部１２がスライドすることによってカバー部１１との重なり面積が変化する。すると、両者間に蓄積される静電容量が変化することに伴って音色や音量が変化する。
【０１２０】
また、前記鳴動機構は、プラグの挿入量に応じて静電容量を変化させて、音色や音量の変化に対応させるようにしたので、ＩＣ等の複雑な演算回路を必要とせずに簡単な電気的構成で鳴動機構を形成でき、コストの大幅な上昇を抑制することができる。
【０１２１】
また、インダクタンスを変化させる鳴動機構としては、カバー部１１またはスライド部１２の一方に鉄芯を配置するとともに、他方にコイルを配置することにより構成することができ、同様の作用効果を奏することができる。
【０１２２】
また、電気抵抗を変化させる鳴動機構としては、カバー部１１またはスライド部１２の一方に磁石を配置するとともに、他方に磁性抵抗素子を配置することにより構成することができ、同様の作用効果を奏することができる
なお、第７実施形態を、上述の第１〜第６実施形態に組み合わせると、表示部１０、１０Ａ〜１０Ｅの目視による視覚認識に加えて、聴覚認識でもプラグの挿入状態を判断でき、プラグ挿入不良の場合の警告性をより高めることができる。
【０１２３】
ところで、本発明の給電装置は前記各実施形態に例をとって説明したが、これら実施形態に限ることなく本発明の要旨を逸脱しない範囲で他の実施形態を各種採用することができる。
【図面の簡単な説明】
【０１２４】
【図１】本発明の第１実施形態にかかる表示部およびコンセントを断面して示すプラグとコンセントを分離した給電装置の正面図である。
【図２】本発明の第１実施形態にかかるプラグの雄端子をコンセントの差込口に差し込まれた状態を（ａ）に第１の位置と（ｂ）に第２の位置で示す要部断面図である。
【図３】本発明の第１実施形態で（ａ）に表示部のスライド部と（ｂ）に表示部のカバー部をそれぞれ示す平面図である。
【図４】本発明の第１実施形態にかかるスリット部を詳細に示す平面図である。
【図５】本発明の第１実施形態にかかる表示部によって表示される模様を示す説明図であって、図５ａはプラグがコンセントに完全に差し込まれた第１の位置での表示部の模様（完全差し込み状態を表す模様Ｄ１）を示し、図５ｃはプラグがコンセントに完全に抜き出された第２の位置での表示部の模様（完全脱出状態を表す模様Ｄ２）を示し、図５ｂは第１の位置と第２の位置との中間位置での表示部の模様（不完全差し込み状態を示す模様Ｄｍ）を示す説明図である。
【図６】本発明の第２実施形態にかかる表示部を断面して示すプラグとコンセントを分離した給電装置の正面図である。
【図７】本発明の第３実施形態にかかる表示部およびプラグの一部を断面して示すプラグとコンセントを分離した給電装置の正面図である。
【図８】本発明の第３実施形態にかかる表示部およびプラグの平面図である。
【図９】本発明の第４実施形態にかかるプラグの側断面図である。
【図１０】本発明の第４実施形態にかかるプラグの正面図である。
【図１１】本発明の第５実施形態にかかる表示部およびコンセントを断面して示すプラグとコンセントを分離した給電装置の正面図である。
【図１２】本発明の第５実施形態にかかるコンセントの平面図である。
【図１３】本発明の表示部によって表示される模様の第１変形例を示す説明図である。
【図１４】本発明の表示部によって表示される模様の第２変形例を示す説明図である。
【図１５】本発明の表示部によって表示される模様の第４変形例を示す説明図である。
【図１６】本発明の第６実施形態の表示部の作動状態を（ａ）〜（ｅ）に順を追って示す要部構成の断面図である。
【符号の説明】
【０１２５】
１，１Ａ，１Ｂ，１Ｄ  給電装置
２  プラグ
２１  プラグ本体
２２  雄端子
３  コンセント
３１  コンセント本体
３２  差込口
３３  雌端子
１０，１０Ａ，１０Ｂ，１０Ｃ，１０Ｄ、１０Ｅ  表示部
１１  カバー部
１１Ｓ  スリット
１２  スライド部
１３，１３Ａ，１３Ｂ，１３Ｃ，１３Ｄ，１３Ｄ１，１３Ｄ２，１３Ｄ３  プラグ挿入量変換部
２０  絶縁部材
Ｐ１  第１の位置
Ｐ２  第２の位置
Ｐｍ  中間位置
Ｑ１  第１の部分
Ｑ２  第２の部分
Ｑｍ  中間部分
Ｄ１，Ｄｍ，Ｄ２  模様
Ｌｓ  光源
【図１】
2008305637.tif 000003
【図２】
2008305637.tif 000004
【図３】
2008305637.tif 000005
【図４】
2008305637.tif 000006
【図５】
2008305637.tif 000007
【図６】
2008305637.tif 000008
【図７】
2008305637.tif 000009
【図８】
2008305637.tif 000010
【図９】
2008305637.tif 000011
【図１０】
2008305637.tif 000012
【図１１】
2008305637.tif 000013
【図１２】
2008305637.tif 000014
【図１３】
2008305637.tif 000015
【図１４】
2008305637.tif 000016
【図１５】
2008305637.tif 000017
【図１６】
2008305637.tif 000018